【事件の表示】
　平成　７年特許願第３１４２７７号「アルミニウム含有金属材料の親水性水系処理剤、及び親水性処理方法」拒絶査定不服審判事件〔平成　８年　９月１０日出願公開、特開平　８−２３２０７８〕について、次のとおり審決する。
【結　論】
　本件審判の請求は、成り立たない。
【理　由】
第１　手続の経緯
　本願は、平成７年１２月１日（優先権主張平成６年１２月７日）の出願であって、平成１７年１１月７日付け拒絶理由通知に対して、平成１８年１月１６日付けで意見書が提出されたが、同年３月１日付けで拒絶査定され、これに対し、同年４月６日に拒絶査定不服の審判が請求されると共に、同年５月８日に手続補正がされたものである。
　
第２　平成１８年５月８日付けの手続補正についての補正却下の決定
［補正却下の決定の結論］
　平成１８年５月８日付けの手続補正（以下「本件補正」という。）を却下する。
　
［理　由］
１．本件補正前及び補正後の本願発明
　本件補正は、特許請求の範囲及び発明の詳細な説明についてするものであって、特許請求の範囲については、本件補正前の請求項１に「グリシジル基を有する水溶性有機化合物」と上位概念で表現された化合物を、「ソルビトールポリグリシジルエーテル」と対応する下位概念の化合物に限定・具体化するものであるから、特許法第１７条の２第４項第２号に掲げる特許請求の範囲の減縮を目的とするものである。
　そこで、本件補正後における特許請求の範囲に記載された事項により特定される発明が、特許出願の際に独立して特許を受けることができるものであるか、すなわち、特許法第１７条の２第５項において準用する同法第１２６条第５項に規定する要件を満たすかを、請求項１に係る発明（以下「本願補正発明」という）について検討する。
　本願補正発明は、次のとおりのものである。
「【請求項１】下記成分：
（Ａ）ソルビトールポリグリシジルエーテル、
（Ｂ）第三アミノ基、並びにスルホン酸基、ホスホン酸基、カルボキシル基、ポリアルキレングリコール基、ヒドロキシル基およびアミド基から選ばれた少なくとも１種の親水性官能基を有する水溶性高分子化合物並びに前記第三アミノ基および前記少なくとも１種の親水性官能基を有し、かつ加熱乾燥により高分子化し得る水溶性有機化合物から選ばれた少なくとも１種、および
（Ｃ）１００℃までの温度に分解点を持たない防菌剤
を含有することを特徴とするアルミニウム含有金属材料の親水性水系処理剤。」
　
２．引用例等の記載事項
２−１　これに対し、原査定の拒絶の理由に引用された、本願優先権主張日前に頒布された特開昭６０−２１９２８５号公報（以下「引用例１」という）には、以下の技術事項が記載されている。
（１）「主鎖あるいは／及び側鎖に３級アミンを有するポリアミドまたは／および主鎖にポリアルキレングリコールグループを有するポリアミドを主成分とする防曇・防滴処理剤。」（請求項１）。
（２）「ここで言う主鎖あるいは／及び側鎖に３級アミンを有するポリアミドとは、アミノエチルピペラジンやビスアミノプロピルピペラジン等の３級アミンを主鎖に持つジアミンとアジピン酸やセバシン酸等のジカルボン酸とのポリアミドや、（中略）等である。」（第２頁左上欄１６行〜同頁右上欄６行）。
（３）「耐久性を向上させるためにエポキシ化合物（中略）と反応させて硬化、架橋させる方法がとられうる。これらの処理剤は水やメタノールやエタノール等溶媒あるいは混合溶媒中に溶解ないしは配合し、（中略）Ａｌ、鉄等の板状物やそれらの成型物にハケやスプレー、コーター等によって塗付し、乾燥して使用する。」（第２頁左下欄１〜１１行）
　
２−２　同じく特開平２−２５８８７４号公報（以下「引用例２」という）には、次の技術事項が記載されている。
（１）「固形分換算で、カルボキシメチルセルロースのナトリウム塩及び／又はカリウム塩５〜２５重量部と、カルボキシメチルセルロースのアンモニウム塩２５〜５０重量部と、Ｎ−メチロールアクリルアミド２５〜７５重量部とを含有することを特徴とする親水性表面処理剤」（請求項１）。
（２）「本発明は熱交換器フィン等のアルミニウム材の親水性表面処理剤（中略）に関する。」（第２頁左上欄１６行〜右上欄４行）
（３）「本発明の目的は、親水性、耐食性、耐水溶解性、耐溶剤性などが良好で加工時などにおけるクラック発生がなく、かつ不快臭を発生しない熱交換器のフィン等に用いる親水性皮膜を形成するための表面処理剤（中略）を提供することである。」（第３頁左下欄１１〜１７行）
（４）「防かび剤及び防腐剤として（中略）、１，２−ベンズイソチアゾリン−３−オン（BIT）（中略）等を使用することができる。」（第６頁右上欄１３〜１７行）
　
２−３　同じく特開平３−７２５６２号公報（以下「引用例３」という）には、次の技術事項が記載されている。
（１）「本発明は（中略）熱交換器のアルミニウム製フィン等のアルミニウム材に耐食性及び親水性を有するとともに、臭気を発しない皮膜を形成せしめる親水性表面処理剤、親水性表面処理浴、及びこれを用いた表面処理方法に関する。」（第２頁左上欄１〜８行）
（２）「本発明の親水性表面処理剤は、上記必須成分以外に界面活性剤、防カビ剤、防バクテリア剤、（中略）等を含有してもよい。」（第５頁左上欄６〜１０行）
（３）「防バクテリア剤としては具体的には１，２−ベンゾイソチアゾリン−３−オン（BIT）、２，３，５，６−テトラクロロ−４−（メチルスルフォニル）ピリジン、（中略）が用いられる。」（同頁左下欄下５〜下１行）
　
３．引用例に記載された発明及び検討
３−１　引用例１の記載事項の検討
（ａ）引用例１に記載された防曇・防滴処理剤は、その機能からみて本願補正発明と同様に親水化処理を行うものであり、２−１の（３）に摘記されるようにアルミニウム板を被処理体とするものである。
（ｂ）２−１の（１）及び（２）の摘記事項によれば、引用例１における「主鎖あるいは／及び側鎖に３級アミンを有するポリアミド」は、３級アミンの他に、ジカルボン酸由来のカルボキシル基やポリアミド由来のアミド基等の親水性官能基を有する。
（ｃ）（３）の摘記事項によれば、エポキシ化合物を硬化・架橋剤として使用することができる。
　したがって、上記引用例１の記載事項を総合的に勘案すると、引用例１には、結局、次の発明が記載されている（以下「引用例１発明」という）。
「主鎖あるいは／及び側鎖に３級アミンを有するポリアミドを主成分とし、カルボン酸やアミド基等の親水性官能基を有し、硬化・架橋剤としてエポキシ化合物を含有する、アルミニウム板の防曇・防滴処理剤」
　
３−２　引用例２及び引用例３の記載事項の検討
（ａ）引用例２及び引用例３に記載された親水性表面処理剤は、２−２の（１）〜（３）及び２−３の（１）の摘記されるように、アルミニウム板の親水化処理に用いるものである。
（ｂ）また、２−２の（４）、２−３の（２）、（３）に摘記されるように、防カビ剤あるいは防バクテリア剤として、１，２−ベンズイソチアゾリン−３−オン（BIT）、２，３，５，６−テトラクロロ−４−（メチルスルフォニル）ピリジンを配合している。これらは、１００℃までの温度に分解点を持たない防菌剤として本願発明が例示列挙している化合物に含まれるものである。
　したがって、引用例２及び引用例３には、アルミニウム板を親水化処理するに際して、上記特定の防菌剤を含有させることが記載されている。
　
４．対比
　そこで、本願補正発明と引用例１発明とを比較する。
　引用例１発明における「３級アミン」は、本願補正発明における「第三アミノ基」に相当する。また、「アルミニウム含有金属材料」の態様として「アルミニウム板」を含んでいるし、防曇・防滴処理はその機能からみると親水化処理に相当するので、引用例１発明における「アルミニウム板の防曇・防滴処理剤」は、本願発明における「アルミニウム含有金属材料の親水性水系処理剤」に対応する。さらに、引用例１発明における防曇・防滴処理剤は、２−１（３）に摘記したようにアルミニウム板に塗付し乾燥しており、特に加熱処理はしていないようなので、本願発明における「水溶性高分子化合物」に相当する。したがって、本願補正発明と引用例１発明とは次の点で一致する。
＜　一致点　＞
「（Ｂ）第三アミノ基、並びにカルボキシル基及びアミド基等の親水性官能基を有する水溶性高分子化合物である、
　アルミニウム含有金属材料の親水性水系処理剤。」
　一方、両者は、次の点で相違する。
＜　相違点　＞
（１）本願補正発明では「（Ｃ）１００℃までの温度に分解点を持たない防菌剤」を含有するが、引用例１発明では、抗菌剤について具体的な言及がない点。
（２）本願補正発明は、架橋剤として（Ａ）ソルビトールポリグリシジルエーテルを含有するのに対し、引用例１発明では、これについて特に言及していない点。
　
５．判断
相違点（１）について
　引用例１発明では、防菌や腐敗臭の抑制の必要性等については特に意識されていない。しかし、３−２（ｂ）に摘記したように、アルミニウム板の親水性処理剤において防菌剤を含有することは、引用例２及び３に記載された事項である。そして、その際に本願補正発明でも使用する１，２−ベンズイソチアゾリン−３−オン（BIT）、２，３，５，６−テトラクロロ−４−（メチルスルフォニル）ピリジンを採用することも、記載されている。
　したがって、引用例１発明において、１，２−ベンズイソチアゾリン−３−オン（BIT）、２，３，５，６−テトラクロロ−４−（メチルスルフォニル）ピリジン等の防菌剤を使用してみようとすることは、当業者が容易に想到するところである。
　なお、本願補正発明は、これらの防菌剤を分解温度という観点からの耐熱特性で限定するが、具体的に使用する防菌剤において共通しているばかりでなく、当該耐熱特性は本願補正発明に係る処理剤をアルミニウム基板に適用する際に乾燥工程において必要な耐熱特性であるにとどまる（段落【００１７】）ので、このような限定に技術的に格別な意義があるとすることができない。
　　
相違点（２）について
　前記３−２に摘記したとおり、引用例１発明においては架橋剤としてエポキシ化合物等を使用することができるとしており、下記に摘記したとおり、水溶性ポリアミド等を形成する際のエポキシ系の架橋剤としてソルビトールポリグリシジルエーテルは周知の材料である。したがって、引用例１発明において水溶性ポリアミドを合成するに当たり、周知の架橋剤であるソルビトールポリグリシジルエーテルを使用することは当業者が適宜なしうることである。
　なお、本願補正発明において、ソルビトールポリグリシジルエーテルを架橋剤として用いているかは明らかではない。しかし、ソルビトールポリグリシジルエーテルを架橋剤として第三アミノ基を有する水溶性化合物と反応させ、もってアルミニウム基板上に緻密な親水性皮膜を形成することが、引用例１発明及び周知技術から当業者適宜なしうるところであるから、本願発明の特徴事項に想到することも同様と認めざるを得ない。
　
　そして、相違点（１）、（２）に係る本願補正発明の特定事項によってもたらされる効果も、引用例１〜３に記載された発明、及び上記周知技術から当業者が容易に予測しうる程度のものであり、格別なものといえない。
　
６．本件補正についての結び
　以上のとおり、本願補正発明は、特許法第２９条第２項の規定により、特許出願の際に独立して特許を受けることができないものであるから、本件補正は、特許法第１７条の２第５項で準用する同法１２６条５項に規定する要件を満たさないものであり、特許法第１５９条第１項で読み替えて準用する同法５３条１項の規定により却下すべきものである。
　
　　　　　　　　記
　水溶性ポリアミド等の水溶性膜を形成するための架橋剤として、ソルビトールポリグリシジルエーテルを配合することは、例えば次の周知例に記載されているように、当該技術分野ではよく知られた技術である。
（周知例）
　特開平１−２２３１８８号公報には、アルミニウム製熱交換器フィン材用親水化処理剤が（第１頁右下欄３，４行）、水溶性ポリアミド等の有機樹脂からなるもの（第３頁左上欄９〜１９行）が記載されており、架橋剤としてソルビトール・ポリグリシジルエーテルが例示されている（第１１頁左上欄６行）。
　
第３　本願発明について
１．本願発明
　平成１８年５月８日付けの手続補正は上記のとおり却下されたので、本願の請求項１〜３に係る発明は、平成７年１２月１日付けで特許出願した明細書の特許請求の範囲の請求項１〜３に記載されたとおりのものであるところ、請求項１に係る発明（以下「本願発明」という。）は、次のとおりのものである。
「【請求項１】下記成分：
（Ａ）グリシジル基を有する水溶性有機化合物、
（Ｂ）第三アミノ基、並びにスルホン酸基、ホスホン酸基、カルボキシル基、ポリアルキレングリコール基、ヒドロキシル基およびアミド基から選ばれた少なくとも１種の親水性官能基を有する水溶性高分子化合物並びに前記第三アミノ基および前記少なくとも１種の親水性官能基を有し、かつ加熱乾燥により高分子化し得る水溶性有機化合物から選ばれた少なくとも１種、および
（Ｃ）１００℃までの温度に分解点を持たない防菌剤
を含有することを特徴とするアルミニウム含有金属材料の親水性水系処理剤。」
　
２．引用例
　原査定の拒絶の理由で引用された引用例及びその記載事項は、前記「第２　［理由］２．」に記載されたとおりである。
　
３．対比・判断
　本願発明は、上記「第２　［理由］」で検討した本願補正発明に対し、下位概念の「ソルビトールグリシジルエーテル」から上位概念の「グリシジル基を有する水溶性有機化合物」に、限定を解除したものに相当する。
　そうすると、本願発明の特定事項の一部について下位概念に限定したものに相当する本願補正発明が前記「第２　［理由］４．５．」に記載したとおり、引用例１〜３に記載された発明及び周知技術に基づいて、当業者が容易に発明をすることができたのであるから、本願発明も、同様の理由により、引用例１〜３に記載された発明及び周知技術に基づいて当業者が容易に発明をすることができたものである。
　
４．むすび
　以上のとおり、本願の請求項１に係る発明は、特許法第２９条第２項の規定により特許を受けることができないものである。
　したがって、その余の請求項について論及するまでもなく、本願は拒絶すべきものである。
　よって、結論のとおり審決する。